(57)【要約】      （修正有）【課題】従来よりも荷物の配達をスムーズに行うことができる荷物受取ボックスを提供する。【解決手段】ボックス本体３の内部に、収容空間Ｓを後収容空間Ｓ１と前収容空間Ｓ２とに仕切るための仕切扉５が、右側板の内面に沿った開放姿勢と、右側板の内面に対して起立する閉塞姿勢との間で片開き可能に蝶着されている。したがって、比較的小型の荷物Ｗ１、Ｗ２であれば、後収容空間Ｓ１で荷物Ｗ１を、収容空間Ｓ２で荷物Ｗ２をといったように、１つの受取ボックス１で２つの荷物Ｗ１、Ｗ２を受け取ることができ、ひいては荷物の配達を従来よりもスムーズに行えるようになる。【選択図】図６
2019132084.tif 000002
【特許請求の範囲】
【請求項１】
前面に開口を有し、前記開口を介して荷物を収容可能なボックス本体と、前記開口を開閉する前扉と、前記前扉を施錠／解錠する第１の錠機構とを備えてなる荷物受取ボックスであって、
前記ボックス本体の内部に、前記ボックス本体の内部空間を第１の収容空間と第２の収容空間とに仕切るための仕切部材が、前記内部空間を仕切る仕切位置と、前記内部空間を仕切らない非仕切位置とに移動可能に設けられていることを特徴とする荷物受取ボックス。
【請求項２】
前記仕切部材が、前記内部空間を前後に仕切る仕切扉であり、当該仕切扉が、前記内部空間に片開き可能に蝶着されているとともに、
前記仕切扉及び前記ボックス本体に、前記仕切扉を前記仕切位置で施錠するための第２の錠機構が設けられていることを特徴とする請求項１に記載の荷物受取ボックス。
【発明の詳細な説明】
【技術分野】
【０００１】
本発明は、たとえば宅配業者等が配達した荷物を無人で受け取るための荷物受取ボックスに関するものである。
【背景技術】
【０００２】
たとえば宅配業者が荷物を配達した際、居住者が不在であっても荷物を受け取るための荷物受取ボックスが普及しつつある（たとえば特許文献１）。また、一般的な荷物受取ボックスは、前面から荷物を収容可能としたボックス本体と、ボックス本体の前面開口を開閉するための扉体とを備えている。そして、荷物の配達時には、解錠状態にある扉体を開放して、ボックス本体内に荷物を収容した後、扉体を閉塞して施錠することで荷物の受け取りが可能となる。また、そのようにして荷物を受け取ると、居住者が解錠操作して荷物を取り出すまで、新たな荷物の受け取りは不可能となる。
【先行技術文献】
【特許文献】
【０００３】
【特許文献１】特開２００１−１７５５５５号公報
【発明の概要】
【発明が解決しようとする課題】
【０００４】
近年、宅配便取扱個数が急増しており、居住者が荷物を取り出すよりも前に再び宅配業者が荷物を配達しにくるような事態が起こり得る。そして、従来の荷物受取ボックスでは、そのような場合に荷物を受け取ることができないため、結局再配達が必要になってしまう等の問題が生じていた。
【０００５】
そこで、本発明は、上記問題に鑑みなされたものであって、従来よりも荷物の配達をスムーズに行うことができる荷物受取ボックスを提供しようとするものである。
【課題を解決するための手段】
【０００６】
上記目的を達成するために、本発明のうち請求項１に記載の発明は、前面に開口を有し、前記開口を介して荷物を収容可能なボックス本体と、前記開口を開閉する前扉と、前記前扉を施錠／解錠する第１の錠機構とを備えてなる荷物受取ボックスであって、前記ボックス本体の内部に、前記ボックス本体の内部空間を第１の収容空間と第２の収容空間とに仕切るための仕切部材が、前記内部空間を仕切る仕切位置と、前記内部空間を仕切らない非仕切位置とに移動可能に設けられていることを特徴とする。
請求項２に記載の発明は、請求項１に記載の発明において、前記仕切部材が、前記内部空間を前後に仕切る仕切扉であり、当該仕切扉が、前記内部空間に片開き可能に蝶着されているとともに、前記仕切扉及び前記ボックス本体に、前記仕切扉を前記仕切位置で施錠するための第２の錠機構が設けられていることを特徴とする。
【発明の効果】
【０００７】
本発明によれば、ボックス本体の内部に、ボックス本体の内部空間を第１の収容空間と第２の収容空間とに仕切るための仕切部材が、内部空間を仕切る仕切位置と、内部空間を仕切らない非仕切位置とに移動可能に設けられている。したがって、荷物が比較的小さい場合には１つの荷物受取ボックスで２つの荷物を受け取ることができ、ひいては荷物の配達を従来よりもスムーズに行うことができるようになる。
また、請求項２に記載の発明によれば、仕切部材が、内部空間を前後に仕切る仕切扉であり、当該仕切扉が、内部空間に片開き可能に蝶着されているため、非常に容易にボックス本体の内部空間を第１の収容空間と第２の収容空間とに仕切ることができる。さらに、仕切扉及びボックス本体に、仕切扉を仕切位置で施錠するための第２の錠機構が設けられているため、前扉の第１の錠機構を施錠せずとも、内部空間の後側に収容した荷物が持ち去られてしまうようなことがなく、セキュリティーの高い荷物受取ボックスとすることができる。
【図面の簡単な説明】
【０００８】
【図１】前扉が閉塞されている荷物受取ボックスを示した斜視説明図である。
【図２】前扉が開放されている荷物受取ボックスを示した斜視説明図である。
【図３】図２の状態にある荷物受取ボックスのボックス本体内部を示した斜視説明図である。
【図４】仕切扉が閉塞された状態にあるボックス本体内部を示した斜視説明図である。
【図５】仕切扉が閉塞された状態にある荷物受取ボックスの水平断面を示した説明図である。
【図６】荷物受取ボックスでの荷物の受け取りを示した説明図である。
【発明を実施するための形態】
【０００９】
以下、本発明の一実施形態となる荷物受取ボックスについて、図面にもとづき詳細に説明する。
【００１０】
図１は、前扉２が閉塞されている荷物受取ボックス（以下、受取ボックスと称す）１を示した斜視説明図である。図２は、前扉２が開放されている受取ボックス１を示した斜視説明図である。図３は、図２の状態にある受取ボックス１のボックス本体３内部を示した斜視説明図である。図４は、仕切扉５が閉塞された状態にあるボックス本体３内部を示した斜視説明図である。図５は、仕切扉５が閉塞された状態にある受取ボックス１の水平断面を示した説明図である。図６は、受取ボックス１での荷物Ｗの受け取りを示した説明図である。
【００１１】
受取ボックス１は、荷物Ｗを収容するためのボックス本体３と、ボックス本体３に対して片開き可能に取り付けられた前扉２とを備えてなる。ボックス本体３は、天板、底板、背板、及び左右両側板を有し、前面にのみ開口する箱体であって、当該箱体の内部空間は、荷物Ｗを収容可能な収容空間Ｓとなる。一方、前扉２は、ボックス本体３の前面開口を開閉することで、収容空間Ｓを開放／閉塞するためのものであり、暗証番号等を入力可能な電子錠２０を備えている。
【００１２】
ここで、本発明の要部となるボックス本体３の内部構造について説明する。
ボックス本体３の底板上には、支持部材６が固定されているとともに、その支持部材６に、ボックス本体３に対して前後方向へスライドするスライド板４が取り付けられている。このスライド板４は、ボックス本体３内に収納された収納位置と、前側の半分以上がボックス本体３から引き出された引き出し位置との間をスライド可能となっており、当該スライド板４を利用することで、ボックス本体３への荷物Ｗの収容及びボックス本体３からの荷物Ｗの取り出しを容易に行うことができる。
【００１３】
また、ボックス本体３の右側板３ａの上縁は、ボックス本体３の内側へ折り曲げられている。一方、支持部材６の右側縁は、上側へ折り曲げられた後、ボックス本体３の内側へ折り返された構造となっている。そして、その折り返し部６ａが右側板３ａの折り曲げ部と対向しており、右側板３ａの折り曲げ部と支持部材６の折り返し部６ａとを利用して、仕切扉５が取り付けられている。
【００１４】
仕切扉５は、収容空間Ｓを後収容空間Ｓ１と前収容空間Ｓ２とに仕切るための部材であって、正面視矩形に成形された板体である。そして、該仕切扉５は、その右側縁上端が右側板３ａの折り曲げ部に、右側縁下端が支持部材６の折り返し部６ａに夫々軸着されており、右側板３ａの内面に沿った開放姿勢（非仕切位置）と、右側板３ａの内面に対して起立する閉塞姿勢（仕切位置）との間で片開き動作するようになっている。
【００１５】
また、仕切扉５の左下部には、仕切扉５を閉塞姿勢で施錠するための錠部材７が設けられている。錠部材７は、先細り状となるように後面が傾斜面とされた係止爪８を仕切扉５の後面側に配してなる。この係止爪８は、仕切扉５の左側縁に対して出没自在に設けられているとともに、仕切扉５の左側縁よりも左側へ突出するように付勢されている。また、係止爪８は、錠部材７に対して仕切扉５の前面側から差し込まれた鍵（図示せず）を回転させることによっても同様に出没するようになっている。一方、支持部材６の左側縁も、右側縁同様に、上側へ折り曲げられた後、ボックス本体３の内側へ折り返された構造となっており、その折り返し部６ａに係止爪８が係止可能な係止孔（図示せず）を有する係止柱９が立設されている。
【００１６】
上述したような受取ボックス１における荷物の受け取りについて、図６に沿って説明する。
まず、受取ボックス１が空の状況で荷物Ｗを配達した際には、解錠状態にある前扉２を開放して、収容空間Ｓ内へ荷物Ｗを収容する（図６（ａ））。その時、この荷物Ｗが比較的小さな荷物Ｗ１であると、荷物Ｗ１をボックス本体３の奥まで押し込み、仕切扉５を閉操作して後収容空間Ｓ１内へ収容すればよい（図６（ｂ））。仕切扉５の閉操作に際しては、係止爪８が、その後面が係止柱９に押される格好となって一時的に仕切扉５の左側縁よりも内側へ埋没した後、再び突出して係止孔に係止することになる。したがって、仕切扉５は、開放姿勢から閉塞姿勢への姿勢変更に伴い自動的に施錠状態となる。なお、このとき電子錠２０の施錠は行わない。
【００１７】
そのため、荷物Ｗ１が取り出される前に新たに荷物Ｗ２が配達されたとしても、荷物Ｗ２の大きさにはよるものの、当該荷物Ｗ２を前収容空間Ｓ２へ収容することができる（図６（ｃ））。すなわち、まだ施錠されていない前扉２を開放し、前収容空間Ｓ２へ荷物Ｗ２を収容した後、前扉２を閉塞して電子錠２０を施錠すれば、１つの受取ボックス１で２つの荷物Ｗ１、Ｗ２を受け取ることができる。一方、受取ボックス１が空の状況で配達された荷物Ｗが比較的大きな荷物Ｗ３であると、後収容空間Ｓ１への収容はできないため、仕切扉５を閉操作することなく、従来同様に収容空間Ｓ全体を利用して荷物Ｗ３を収容すればよい（図６（ｄ））。
【００１８】
以上のような構成を有する受取ボックス１によれば、ボックス本体３の内部に、収容空間Ｓを後収容空間Ｓ１と前収容空間Ｓ２とに仕切るための仕切扉５が、右側板３ａの内面に沿った開放姿勢と、右側板３ａの内面に対して起立する閉塞姿勢との間で片開き可能に蝶着されている。したがって、比較的小型の荷物Ｗ１、Ｗ２であれば、後収容空間Ｓ１で荷物Ｗ１を、前収容空間Ｓ２で荷物Ｗ２をといったように、１つの受取ボックス１で２つの荷物Ｗ１、Ｗ２を受け取ることができ、ひいては荷物の配達を従来よりもスムーズに行えるようになる。
【００１９】
また、仕切扉５に係止爪８を有する錠部材７を、ボックス本体３側に係止爪８が係止する係止孔を有する係止柱９を夫々設けており、仕切扉５を閉塞姿勢で施錠可能としている。したがって、前扉２の電子錠２０を施錠せずとも、後収容空間Ｓ１に収容した荷物Ｗ１が持ち去られてしまうようなことがなく、セキュリティーの高い受取ボックス１とすることができる。
【００２０】
なお、本発明の受取ボックスに係る構成は、上記実施形態の態様に何ら限定されるものではなく、受取ボックスの全体的な構造は勿論、仕切部材に係る構成等についても、本発明の趣旨を逸脱しない範囲で、必要に応じて適宜変更することができる。
【００２１】
たとえば、仕切部材によりボックス本体の内部空間を上下に仕切るように構成することも可能であり、そのような場合には、仕切部材を上下方向へスライドさせることで非仕切位置から仕切位置へ移動させるような構成を採用することができる。
また、仕切扉を採用するにしても、その片開き方向は上記実施形態の構成に何ら限定されることはなく、たとえば通常は天板に沿った開放姿勢にあり、前端縁の下側への回動操作によって閉塞姿勢へ移動するような仕切扉を設けてもよい。
【符号の説明】
【００２２】
１・・受取ボックス、２・・前扉、３・・ボックス本体、３ａ・・右側板、５・・仕切扉（仕切部材）、７・・錠部材（第２の錠機構）、８・・係止爪、９・・係止柱（第２の錠機構）、２０・・電子錠（第１の錠機構）。
【図１】
2019132084.tif 000003
【図２】
2019132084.tif 000004
【図３】
2019132084.tif 000005
【図４】
2019132084.tif 000006
【図５】
2019132084.tif 000007
【図６】
2019132084.tif 000008